(57)【要約】【課題】収容された検体及び依頼書の対応を確認できる集荷ボックスを用いて、容易、かつ、迅速に検体の集荷及び搬送を行う集荷システムを提供する。【解決手段】集荷ボックス６ａにおいて、収容された検体の検体情報及び依頼書の依頼書情報を取得し、取得した検体情報及び依頼書情報の照合を行い、検体と検体に対応する依頼書が収容されたことを確認する。確認後、収容された検体の検体情報をネットワーク４を介して管理センタシステム２に送信する。次に、管理センタシステム２において、データ記憶部１４に記憶されている検査依頼情報及び検査機関情報記憶部１６に記憶されている検査機関情報を参照して作成された検体の搬送先を指示する指示情報を受信して表示する。そして、集荷人は、表示された指示情報により指示された搬送先に検体の搬送を行う。【選択図】　図１
2004077195.tif 000002
【特許請求の範囲】
【請求項１】
検査に用いる検体及び前記検査に関する依頼書を収容する収容部と、
前記収容部に収容された前記検体の検体情報を取得する検体情報取得手段と、
前記収容部に収容された前記依頼書の依頼書情報を取得する依頼書情報取得手段と、
前記検体情報取得手段により取得された前記検体情報と前記依頼書情報取得手段により取得された前記依頼書情報とを照合する照合手段と、
前記照合手段により、前記検体情報と前記依頼書情報とが一致した場合に、前記依頼書により依頼された検査に用いる検体が集荷されたことを確認する集荷確認手段と
を備えることを特徴とする集荷ボックス。
【請求項２】
前記検体情報取得手段及び前記依頼書情報取得手段は、ＩＣタグに記録されている前記検体情報及び前記依頼書情報を非接触で読み取るＩＣタグリーダにより構成されていることを特徴とする請求項１記載の集荷ボックス。
【請求項３】
前記検体を集荷する際の集荷条件を記憶する集荷条件記憶手段と、
前記検査の依頼に関する検査依頼情報を入力する検査依頼情報入力手段と、
前記検査依頼情報入力手段により入力された前記検査依頼情報を参照することにより、前記収容部に収容された前記検体が前記集荷条件記憶手段に記憶されている前記集荷条件を満たしているか否かを判断する集荷条件判断手段と、
前記集荷条件判断手段により前記集荷条件を満たしていないと判断された場合に警告を行う警告手段と
を更に備えることを特徴とする請求項１または請求項２記載の集荷ボックス。
【請求項４】
前記警告手段は、前記集荷条件を満たしていない場合に警告を表示する表示手段を備えることを特徴とする請求項３記載の集荷ボックス。
【請求項５】
バーコードに記録されている前記検体情報または前記依頼書情報を読み取るバーコードリーダと、
前記バーコードリーダにより読み取られた前記検体情報または前記依頼書情報をＩＣタグに記録するＩＣタグライタとを更に備えることを特徴とする請求項１〜請求項４の何れか一項に記載の集荷ボックス。
【請求項６】
前記依頼書の画像データを読み取る画像データ読取手段と、前記画像データ読取手段により読み取られた前記依頼書の画像データを前記依頼書に付されているＩＣタグに記録するＩＣタグライタとを更に備えることを特徴とする請求項１〜請求項４の何れか一項に記載の集荷ボックス。
【請求項７】
前記依頼書の記載内容を認識するタブレット装置と、
前記タブレット装置により認識された前記依頼書の記載内容を前記依頼書に付されているＩＣタグに記録するＩＣタグライタとを更に備えることを特徴とする請求項１〜請求項４の何れか一項に記載の集荷ボックス。
【請求項８】
検査に用いる検体及び前記検査に関する依頼書を収容する収容部と、
前記収容部に収容された前記検体の検体情報を取得する検体情報取得手段と、前記収容部に収容された前記依頼書の依頼書情報を取得する依頼書情報取得手段と、
前記検体情報取得手段により取得された前記検体情報と前記依頼書情報取得手段により取得された前記依頼書情報とを照合する照合手段と、
前記照合手段により、前記依頼書情報と一致すると判断された前記検体情報を前記検体の集荷状況の管理を行う管理センタシステムに送信する送信手段と、
前記管理センタシステムから送信される前記検体の搬送先を指示する指示情報を受信する指示情報受信手段とを備える集荷ボックスと、
前記集荷ボックスから送信される前記検体情報を受信する受信手段と、
前記検査の依頼に関する検査依頼情報を記憶する検査依頼情報記憶手段と、
前記受信手段により受信された前記検体情報と前記検査依頼情報記憶手段に記憶されている前記検査依頼情報とを参照して作成された前記指示情報を前記集荷ボックスに送信する指示情報送信手段とを備える管理センタシステムと
を備えることを特徴とする集荷システム。
【請求項９】
前記検体情報取得手段及び前記依頼書情報取得手段は、ＩＣタグに記録されている前記検体情報及び前記依頼書情報を非接触で読み取るＩＣタグリーダにより構成されていることを特徴とする請求項８記載の集荷システム。
【請求項１０】
前記集荷ボックスは、
前記検体を集荷する際の集荷条件を記憶する集荷条件記憶手段と、
前記検査依頼情報を入力する検査依頼情報入力手段と、
前記検査依頼情報入力手段により入力された前記検査依頼情報を参照することにより、前記収容部に収容された前記検体が前記集荷条件記憶手段に記憶されている前記集荷条件を満たしているか否かを判断する集荷条件判断手段と、
前記集荷条件判断手段により前記集荷条件を満たしていないと判断された場合に警告を行う警告手段と
を更に備えることを特徴とする請求項８または請求項９記載の集荷システム。
【請求項１１】
前記集荷ボックスは、
前記検査依頼情報入力手段により入力された前記検査依頼情報を前記管理センタシステムに送信する検査依頼情報送信手段を更に備え、
前記管理センタシステムは、
前記集荷ボックスから送信される前記検査依頼情報を受信する検査依頼情報受信手段を更に備え、
前記検査依頼情報記憶手段は、前記検査依頼情報受信手段により受信された前記検査依頼情報を記憶することを特徴とする請求項１０記載の集荷システム。
【請求項１２】
前記警告手段は、前記集荷条件を満たしていない場合に警告を表示する表示手段を備えることを特徴とする請求項１０または請求項１１記載の集荷システム。
【請求項１３】
前記集荷ボックスは、
バーコードに記録されている前記検体情報または前記依頼書情報を読み取るバーコードリーダと、
前記バーコードリーダにより読み取られた前記検体情報または前記依頼書情報をＩＣタグに記録するＩＣタグライタとを更に備えることを特徴とする請求項６８〜請求項１２の何れか一項記載の集荷システム。
【請求項１４】
前記依頼書の画像データを読み取る画像データ読取手段と、
前記画像データ読取手段により読み取られた前記依頼書の画像データを前記依頼書に付されているＩＣタグに記録するＩＣタグライタとを更に備えることを特徴とする請求項８〜請求項１２の何れか一項に記載の集荷ボックス。
【請求項１５】
前記依頼書の記載内容を認識するタブレット装置と、
前記タブレット装置により認識された前記依頼書の記載内容を前記依頼書に付されているＩＣタグに記録するＩＣタグライタとを更に備えることを特徴とする請求項８〜請求項１２の何れか一項に記載の集荷ボックス。
【請求項１６】
前記集荷ボックスは、
前記指示情報受信手段により受信された前記指示情報と前記検体情報取得手段により取得された前記検体情報とを参照し、前記指示情報により指示された前記搬送先に前記検体が搬送されたことを確認する検体搬送確認手段を更に備え、
前記検体搬送確認手段により前記検体が搬送されていないことが確認された場合には、前記警告手段により前記検体が前記搬送先に搬送されていない旨の警告を行うことを特徴とする請求項８〜請求項１５の何れか一項記載の集荷システム。
【発明の詳細な説明】
【０００１】
【発明の属する技術分野】
この発明は、医療機関等において採取された検査に用いる検体を集荷するための集荷ボックス及びこの集荷ボックスを利用した検体の集荷システムに関するものである。
【０００２】
【従来の技術】
従来、検査のための検体、即ち、人体から採取された組織、血液や病理標本等は、医療機関等において採取される。この採取された検体は、検査の依頼内容を記載した依頼書と共に医療機関から集荷され、検査機関の営業所等に集められる。そして、営業所等から検査の内容に応じた検査機関に搬送され、検査機関において依頼書に記載された検査が行われる。そのため、医療機関における集荷時、営業所等における収集時及び検査機関への搬送時のそれぞれの時において検体とその検体に対応する依頼書が存在するか否かの確認が行われる。
【０００３】
【発明が解決しようとする課題】
ところで、集荷された検体及び依頼書が対応しているか否かは検体及び依頼書にそれぞれ付されている識別番号等を確認することによって行われる。ここで、検体及び依頼書は多量に集荷されるため、集荷された検体及び依頼書が対応しているか否かの確認を迅速に行うことが困難であるという問題がある。更に、確認が不十分の場合には、検査のために必要な検体が集荷されていない、または、依頼書が集荷されていないために検査を行うことができないという問題が生じる。
【０００４】
また、検査の種類によっては複数の検体を必要とするものがあり、そのような検査が依頼されている場合には、必要な数の検体を集荷しなければならない。しかし、依頼書に記載された内容から必要な検体の数を認識し、集荷すべき検体の数を確認するためには、検査に関する知識が必要である。そのため、集荷作業に習熟していなければ必要な検体の集荷を確実に行うことが容易ではないという問題がある。
【０００５】
更に、検査の種類によって検体を搬送すべき検査機関が異なる場合があるため、医療機関において集荷された検体を営業所等に集め、営業所等において検体の搬送先の検査機関を決定した後に、検体が検査機関に搬送される。従って、医療機関から検体を集荷した後に、検査機関に搬送されるまで所定の時間が掛かってしまう。そのため、検体を集荷した後、迅速に検査機関に搬送することが困難であるという問題がある。
【０００６】
この発明の課題は、集荷ボックス内に収容されている検体及び依頼書をリアルタイムで確認することができる集荷ボックス及び、容易、かつ、迅速に検体の集荷及び搬送を行うことができる集荷システムを提供することである。
【０００７】
【課題を解決するための手段】
請求項１記載の集荷ボックスは、検査に用いる検体及び前記検査に関する依頼書を収容する収容部と、前記収容部に収容された前記検体の検体情報を取得する検体情報取得手段と、前記収容部に収容された前記依頼書の依頼書情報を取得する依頼書情報取得手段と、前記検体情報取得手段により取得された前記検体情報と前記依頼書情報取得手段により取得された前記依頼書情報とを照合する照合手段と、前記照合手段により、前記検体情報と前記依頼書情報とが一致した場合に、前記依頼書により依頼された検査に用いる検体が集荷されたことを確認する集荷確認手段とを備えることを特徴とする。
【０００８】
この請求項１記載の集荷ボックスによれば、収容部に収容された検体の検体情報（検体ＩＤ）と収容部に収容された依頼書の依頼書情報（検体ＩＤ）との照合を行い、収容部に収容された検体と依頼書とが対応していることを確認している。従って、検体とその検体を用いた検査の依頼書とが収容部に収容されたことを容易に確認することができる。
【０００９】
また、請求項２記載の集荷ボックスは、前記検体情報取得手段及び前記依頼書情報取得手段が、ＩＣタグに記録されている前記検体情報及び前記依頼書情報を非接触で読み取るＩＣタグリーダにより構成されていることを特徴とする。
【００１０】
この請求項２記載の集荷ボックスによれば、検体を収容する検体容器に付されているＩＣタグに記録されている検体情報及び依頼書に付されているＩＣタグに記録されている依頼書情報を非接触で迅速に読み取ることができる。従って、大量の検体及び依頼書が一度に集荷された場合であっても、検体とその検体に対応する依頼書が存在するか否かの確認を迅速、かつ、的確に行うことができる。
【００１１】
また、請求項３記載の集荷ボックスは、前記検体を集荷する際の集荷条件を記憶する集荷条件記憶手段と、前記検査の依頼に関する検査依頼情報を入力する検査依頼情報入力手段と、前記検査依頼情報入力手段により入力された前記検査依頼情報を参照することにより、前記収容部に収容された前記検体が前記集荷条件記憶手段に記憶されている前記集荷条件を満たしているか否かを判断する集荷条件判断手段と、前記集荷条件判断手段により前記集荷条件を満たしていないと判断された場合に警告を行う警告手段とを更に備えることを特徴とする。
【００１２】
この請求項３記載の集荷ボックスによれば、集荷された検体が集荷条件を満たしているか否か、例えば、依頼された検査を行うために必要な数の検体が集荷されているか否かを判断し、集荷条件を満たしていない場合には警告を行っている。そのため、集荷作業に習熟していない場合であっても、検査を行うために必要な検体を容易、かつ、確実に集荷することができる。
【００１３】
また、請求項４記載の集荷ボックスは、前記警告手段が、前記集荷条件を満たしていない場合に警告を表示する表示手段を備えることを特徴とする。この請求項４記載の集荷ボックスによれば、集荷条件を満たしていない場合には警告が表示されるため、集荷された検体が集荷条件を満たしているか否かを容易に確認し、必要な検体を確実に集荷することができる。
【００１４】
また、請求項５記載の集荷ボックスは、バーコードに記録されている前記検体情報または前記依頼書情報を読み取るバーコードリーダと、前記バーコードリーダにより読み取られた前記検体情報または前記依頼書情報をＩＣタグに記録するＩＣタグライタとを更に備えることを特徴とする。
【００１５】
この請求項５記載の集荷ボックスによれば、バーコードに記録されている検体情報または依頼書情報をＩＣタグに記録させる。従って、検体を採取する医療機関においてバーコードを用いて検体及び依頼書の管理を行っている場合であっても、医療機関における作業を増加させることなく検体の集荷が適切に行われているか否かの確認を、ＩＣタグを用いて容易に行うことができる。
【００１６】
また、請求項６記載の集荷ボックスは、前記依頼書の画像データを読み取る画像データ読取手段と、前記画像データ読取手段により読み取られた前記依頼書の画像データを前記依頼書に付されているＩＣタグに記録するＩＣタグライタとを更に備えることを特徴とする。この請求項６記載の集荷ボックスによれば、依頼書の画像データを依頼書に付されているＩＣタグに記録することができる。
【００１７】
また、請求項７記載の集荷ボックスは、前記依頼書の記載内容を認識するタブレット装置と、前記タブレット装置により認識された前記依頼書の記載内容を前記依頼書に付されているＩＣタグに記録するＩＣタグライタとを更に備えることを特徴とする。この請求項７記載の集荷ボックスによれば、タブレット装置により認識された依頼書の記載内容を依頼書に付されているＩＣタグに記録することができる。
【００１８】
また、請求項８記載の集荷システムは、検査に用いる検体及び前記検査に関する依頼書を収容する収容部と、前記収容部に収容された前記検体の検体情報を取得する検体情報取得手段と、前記収容部に収容された前記依頼書の依頼書情報を取得する依頼書情報取得手段と、前記検体情報取得手段により取得された前記検体情報と前記依頼書情報取得手段により取得された前記依頼書情報とを照合する照合手段と、前記照合手段により、前記依頼書情報と一致すると判断された前記検体情報を前記検体の集荷状況の管理を行う管理センタシステムに送信する送信手段と、前記管理センタシステムから送信される前記検体の搬送先を指示する指示情報を受信する指示情報受信手段とを備える集荷ボックスと、前記集荷ボックスから送信される前記検体情報を受信する受信手段と、前記検査の依頼に関する検査依頼情報を記憶する検査依頼情報記憶手段と、前記受信手段により受信された前記検体情報と前記検査依頼情報記憶手段に記憶されている前記検査依頼情報とを参照して作成された前記指示情報を前記集荷ボックスに送信する指示情報送信手段とを備える管理センタシステムとを備えることを特徴とする。
【００１９】
この請求項８記載の集荷システムによれば、集荷された検体と依頼書との対応が確認された後に、集荷ボックスから管理センタシステムに集荷した検体の検体情報を送信している。そして、管理センタシステムにおいて作成された検体の搬送先を指示する指示情報を集荷ボックスにおいて受信している。従って、検体を集荷した後、集荷した検体を適切な搬送先に容易、かつ、迅速に搬送することができる。
【００２０】
また、請求項９記載の集荷システムは、前記検体情報取得手段及び前記依頼書情報取得手段が、ＩＣタグに記録されている前記検体情報及び前記依頼書情報を非接触で読み取るＩＣタグリーダにより構成されていることを特徴とする。
【００２１】
この請求項９記載の集荷システムによれば、集荷ボックスに収容された検体の検体情報及び依頼書の依頼書情報を非接触で迅速に読み取ることができるため、大量の検体及び依頼書が集荷された場合であっても、容易に検体と依頼書の対応を確認することができる。
【００２２】
また、請求項１０記載の集荷システムは、前記集荷ボックスが、前記検体を集荷する際の集荷条件を記憶する集荷条件記憶手段と、前記検査依頼情報を入力する検査依頼情報入力手段と、前記検査依頼情報入力手段により入力された前記検査依頼情報を参照することにより、前記収容部に収容された前記検体が前記集荷条件記憶手段に記憶されている前記集荷条件を満たしているか否かを判断する集荷条件判断手段と、前記集荷条件判断手段により前記集荷条件を満たしていないと判断された場合に警告を行う警告手段とを更に備えることを特徴とする。
【００２３】
この請求項１０記載の集荷システムによれば、集荷された検体が集荷条件を満たしていない場合には警告が行われるため、検査に必要な検体を容易、かつ、確実に集荷することができる。
【００２４】
また、請求項１１記載の集荷システムは、前記集荷ボックスが、前記検査依頼情報入力手段により入力された前記検査依頼情報を前記管理センタシステムに送信する検査依頼情報送信手段を更に備え、前記管理センタシステムは、前記集荷ボックスから送信される前記検査依頼情報を受信する検査依頼情報受信手段を更に備え、前記検査依頼情報記憶手段は、前記検査依頼情報受信手段により受信された前記検査依頼情報を記憶することを特徴とする。
【００２５】
この請求項１１記載の集荷システムによれば、検査依頼情報は、集荷ボックスに入力され、集荷ボックスから管理センタシステムに送信される。従って、集荷ボックスにおいては、入力された検体依頼情報を参照して検体が集荷条件を満たしているか否かを判断することができ、管理センタシステムにおいては受信した検査依頼情報から指示情報を作成し、集荷ボックスに送信することができる。そのため、必要な検体を迅速に集荷することができると共に、集荷された検体を効率的に搬送先に搬送することができる。
【００２６】
また、請求項１２記載の集荷システムは、前記警告手段が、前記集荷条件を満たしていない場合に警告を表示する表示手段を備えることを特徴とする。この請求項１２記載の集荷システムによれば、集荷条件を満たしていない場合には警告が表示されるため、集荷された検体が集荷条件を満たしているか否かを容易に確認することができる。
【００２７】
また、請求項１３記載の集荷システムは、前記集荷ボックスが、バーコードに記録されている前記検体情報または前記依頼書情報を読み取るバーコードリーダと、前記バーコードリーダにより読み取られた前記検体情報または前記依頼書情報をＩＣタグに記録するＩＣタグライタとを更に備えることを特徴とする。
【００２８】
この請求項１３記載の集荷システムによれば、バーコードに検体情報または依頼情報が記録されている場合であっても、集荷した検体及び依頼書の管理をＩＣタグを用いて適切に行うことができる。
【００２９】
また、請求項１４記載の集荷システムは、前記依頼書の画像データを読み取る画像データ読取手段と、前記画像データ読取手段により読み取られた前記依頼書の画像データを前記依頼書に付されているＩＣタグに記録するＩＣタグライタとを更に備えることを特徴とする。この請求項１４記載の集荷システムによれば、依頼書の画像データを依頼書に付されているＩＣタグに記録することができる。
【００３０】
また、請求項１５記載の集荷システムは、前記依頼書の記載内容を認識するタブレット装置と、前記タブレット装置により認識された前記依頼書の記載内容を前記依頼書に付されているＩＣタグに記録するＩＣタグライタとを更に備えることを特徴とする。この請求項１５記載の集荷システムによれば、タブレット装置により認識された依頼書の記載内容を依頼書に付されているＩＣタグに記録することができる。
【００３１】
また、請求項１６記載の集荷システムは、前記集荷ボックスが、前記指示情報受信手段により受信された前記指示情報と前記検体情報取得手段により取得された前記検体情報とを参照し、前記指示情報により指示された前記搬送先に前記検体が搬送されたことを確認する検体搬送確認手段を更に備え、前記検体搬送確認手段により前記検体が搬送されていないことが確認された場合には、前記警告手段により前記検体が前記搬送先に搬送されていない旨の警告を行うことを特徴とする。
【００３２】
この請求項１６記載の集荷システムによれば、搬送先において、指示情報により搬送することを指示された検体が搬送されたか否かを確認している。そのため、指示情報により指示された搬送先に、集荷した検体を確実に搬送することができる。
【００３３】
【発明の実施の形態】
以下、図面を参照して、この発明の第１の実施の形態に係る集荷システムについて説明する。
【００３４】
図１は、第１の実施の形態に係る集荷システムのブロック構成図である。この図１に示すように、集荷システムは検体の集荷状況等を管理する管理センタに設置されている管理センタシステム２を備える。この管理センタシステム２には検体を集荷する際に用いられる集荷ボックス６ａ、６ｂ、６ｃが無線ネットワーク４を介して接続されている。
【００３５】
管理センタシステム２は、図１に示すように、管理センタシステム２におけるデータの制御を行うデータ制御部１０を備えている。このデータ制御部１０には、集荷ボックス６ａ、６ｂ、６ｃとの間の通信を制御する通信制御部１２、集荷ボックス６ａ、６ｂ、６ｃから無線ネットワーク４を介して送信された情報を記憶するデータ記憶部１４及び検体の検査を行う検査機関の検査機関情報を記憶している検査機関情報記憶部１６が接続されている。
【００３６】
データ記憶部１４には、検体情報、即ち、検体毎に付与された検体ＩＤが記憶される。この検体ＩＤは、集荷ボックス６ａ、６ｂ、６ｃから無線ネットワーク４を介して送信され、通信制御部１２を介して受信された後にデータ記憶部１４に記憶される。また、検査依頼情報、即ち、医療機関から依頼された検査の種類、検査項目、検体ＩＤ等を含む情報が記憶される。この検査依頼情報は、集荷ボックス６ａ、６ｂ、６ｃから無線ネットワーク４を介して送信され、通信制御部１２を介して受信された後にデータ記憶部１４に記憶される。
【００３７】
検査機関情報記憶部１６には、検査を行う検査機関に関する情報（検査機関情報）、例えば、検査機関の所在地、可能な検査内容、営業時間、検査が依頼されている検体の検体ＩＤ、その時点において受け入れ可能な検体及び検査等に関する情報が記憶されている。なお、検査機関情報は、検査機関毎に付されている検査機関ＩＤに対応させて記憶されている。
【００３８】
図２は、第１の実施の形態に係る集荷ボックス６ａの外観を示す図である。この図２に示すように、集荷ボックス６ａは、検体及び依頼書を収容する収容部２０と収容部２０の開口部を塞ぐ蓋部２２により構成されている。蓋部２２は、一辺（図中後方の一辺）が収容部２０と蝶番等により繋がれ、開閉することができるようになっている。この蓋部２２の上面裏側には、収容部２０に収容された検体の検体情報及び依頼書の依頼書情報を非接触で読み取るＩＣタグリーダ２６が設けられている。また、蓋部２２の右側面には、フレキシブルディスクディスクドライブ２８が設けられており、蓋部２２の上面には、ＬＣＤ等により構成される表示部３０が設けられている。更に、蓋部２２の上面には、管理センタシステム２との間の通信を制御する通信制御部３２、例えば、ＰＨＳ（Ｐｅｒｓｏｎａｌ　Ｈａｎｄｙｐｈｏｎｅ　Ｓｙｓｔｅｍ）等が貼り付けられている。なお、通信制御部３２は、無線ネットワーク４を介して管理センタシステム２との間の通信を制御するため、ＰＨＳ等の無線データ通信を行う機器により構成されている。また、集荷ボックス６ａ、６ｂは、集荷ボックス６ａと同様の外観であるため説明を省略する。
【００３９】
図３は、第１の実施の形態に係る集荷ボックス６ａのブロック構成図である。この図３に示すように、集荷ボックス６ａは、集荷ボックス６ａにおけるデータの制御を行うデータ制御部２４を備えている。このデータ制御部２４には、検体を収容する試験管等の検体容器に付されているＩＣタグに記録されている検体情報及び依頼書に付されているＩＣタグに記録されている依頼書情報を非接触で読み取るＩＣタグリーダ２６が接続されている。また、医療機関から依頼された検査に関する検査依頼情報等を入力するフレキシブルディスクドライブ（ＦＤＤ）２８及び検体情報と依頼書情報との照合が不一致となった場合の警告等を表示する表示部３０が接続されている。更に、管理センタシステム２との間の通信を制御するＰＨＳ等の無線データ通信機器により構成される通信制御部３２及び検体情報、依頼書情報及び検査依頼情報等を記憶するデータ記憶部３４が接続されている。なお、集荷ボックス６ｂ、６ｃは、集荷ボックス６ａと同様の構成であるため説明を省略する。
【００４０】
ここで、検体または検体容器及び、依頼書に付されているＩＣタグは、非接触で情報の読み取り及び書き込みを行うことができるものが用いられる。例えば、ＲＦＩＤ（Ｒａｄｉｏ　Ｆｒｅｑｕｅｎｃｙ　Ｉｄｅｎｔｉｆｉｃａｔｉｏｎ）等のＩＣタグが用いられる。また、依頼書は、依頼する検査毎に作成されており、この依頼書には、検査を依頼する医療機関名、検体の採取日、検体の種類、検査項目、患者氏名等が記載されている。
【００４１】
データ記憶部３４には、検体情報、即ち、検体毎に付与された検体ＩＤが記憶される。また、依頼書情報、即ち、依頼する検査毎に作成された依頼書に、検査に用いる検体と依頼書とを対応させるために付された検体ＩＤが記憶される。ここで、検体を採取した医療機関において検体を識別するための識別番号等が検体ＩＤとして用いられる。
【００４２】
また、データ記憶部３４には、検査依頼情報、即ち、医療機関が依頼する検査毎に検査の種類、検査項目、検査に用いる検体ＩＤ等を含む情報が記憶される。この検査依頼情報は、フレキシブルディスクドライブ２８を介して入力された後に、データ記憶部３４に記憶される。また、集荷条件、即ち、検査項目等に応じて検査に用いる検体の数等、検査を行うために必要な検体を集荷する際の条件が記憶されている。
【００４３】
次に、図４〜図６に示すフローチャートを参照して第１の実施の形態に係る集荷システムによる処理について説明する。なお、以下においては、第１の実施の形態に係る集荷ボックスを携帯した集荷人が、医療機関を一定の周期で巡回して検体の集荷を行う場合を例として説明する。
【００４４】
まず、図４に示すフローチャートを参照して、医療機関から検体を集荷する際に第１の実施の形態に係る集荷ボックスにおいて行われる処理を説明する。
【００４５】
まず、巡回先の医療機関において、集荷ボックス６ａの収容部２０に収容された検体の検体情報及び依頼書の依頼書情報をＩＣタグリーダ２６を介して読み取る（ステップＳ１０）。ここで、検体は、検体ＩＤを記録したＩＣタグを埋め込みまたは貼り付けた試験管等の検体容器に収容されている。また、依頼書には、依頼する検査に用いる検体の検体ＩＤを記録したＩＣタグが貼り付けられている。従って、まず、検体が収容された検体容器及び依頼書を集荷ボックスの収容部２０に収容する。次に、検体情報、即ち、収容部２０に収容された検体の検体容器に付されたＩＣタグに記録された検体ＩＤ及び、依頼書情報、即ち、収容部２０に収容された依頼書に付されたＩＣタグに記録された検体ＩＤをＩＣタグリーダ２６を介して読み取る。そして、ＩＣタグリーダ２６を介して読み取られた検体情報及び依頼書情報をデータ記憶部３４に記憶する。なお、検体ＩＤは医療機関においてＩＣタグライタを用いて検体容器及び依頼書に付されているＩＣタグに記録されている。
【００４６】
次に、検査依頼情報をフレキシブルディスクドライブ２８を介して入力する（ステップＳ１１）。即ち、フレキシブルディスクに記録されている検査の種類、検査項目及び検査に用いる検体ＩＤ等を含む検査依頼情報をフレキシブルディスクドライブ２８を介して入力する。
【００４７】
次に、ステップＳ１０において読み取られた検体情報と依頼書情報との照合を行い（ステップＳ１２）、検体情報と依頼書情報との照合が一致したか否かの判断を行う（ステップＳ１３）。即ち、検体容器に付されたＩＣタグに記録された検体ＩＤと依頼書に付されたＩＣタグに記録された検体ＩＤとの照合を行い、照合が一致したか否かの判断を行う。
【００４８】
上述のステップＳ１３の処理において、検体情報と依頼書情報との照合が不一致となった場合には、収容された検体と依頼書とが対応していない旨の警告を表示する（ステップＳ１４）。即ち、検体容器に付されたＩＣタグから読み取られた検体ＩＤと一致する検体ＩＤが、依頼書に付されたＩＣタグから読み取られた検体ＩＤの中に存在していない場合には、検体に対応する依頼書が収容部２０に収容されていないことになる。従って、照合不一致となった検体ＩＤと共に対応する依頼書が収容部２０に存在しない旨の警告を表示部３０に表示する。また、依頼書に付されたＩＣタグから読み取られた検体ＩＤと一致する検体ＩＤが検体容器に付されたＩＣタグから読み取られた検体ＩＤの中に存在しない場合には、依頼書に対応する検体が収容部２０に収容されていないことになる。従って、照合不一致となった検体ＩＤと共に、依頼書に対応する検体が収容部２０に存在しない旨の警告を表示部３０に表示する。
【００４９】
一方、上述のステップＳ１３の処理において、検体情報と依頼書情報との照合が一致した場合には、収容部２０に収容された検体が集荷条件を満たしているか否かの確認を行う（ステップＳ１５）。即ち、検査には、複数の検体が必要な場合が有り、この場合には、一つの検査に用いられる複数の検体には、同一の検体ＩＤが付与されている。即ち、複数の検体容器の各々に付されているＩＣタグがそれぞれ同一の検体ＩＤを記憶している。また、複数の検体を用いる検査の依頼書に付されたＩＣタグには、検査に用いる検体に付与された検体ＩＤと同一の検体ＩＤが記憶されている。このような場合には、検体容器に付されたＩＣタグから読み取られた検体ＩＤの一つが、依頼書に付されたＩＣタグから読み取られた検体ＩＤと一致すれば照合一致となる。従って、データ記憶部３４に記憶されている集荷条件を参照して、データ記憶部３４に記憶されている検査依頼情報に含まれている検査の種類及び検査項目から検査を行うために必要な検体の数を検体ＩＤ毎に特定する。例えば、投薬前後の患者への負荷を調べる血液検査が依頼されている場合、検査のためには同一の検体ＩＤを付された投薬前の血液と投薬後の血液の２検体が必要となる。そのため、同一の検体ＩＤを有する検体の数と、ステップＳ１０において読み取られた検体情報の中にその検体ＩＤが存在する数が等しいか否かの確認を行う。
【００５０】
なお、収容部２０に収容された全ての検体について集荷条件を満たしているか否かの確認が行われるまで（ステップＳ１６）、集荷条件を満たしているか否かについての確認が行われる（ステップＳ１５）。
【００５１】
収容部２０に収容された全ての検体について集荷条件を満たしているか否かの確認が行われた場合には（ステップＳ１６）、ステップＳ１５の処理において集荷不備となっている検体が存在したか否かの判断を行う（ステップＳ１７）。例えば、検査のために同一の検体ＩＤを有する検体が２つ存在していることが必要な場合に、ステップＳ１０において読み取られた検体情報の中に同一の検体ＩＤが２つ存在していない場合には集荷不備と判断される。
【００５２】
集荷不備となっている検体が存在する場合には（ステップＳ１７）、集荷不備となっている検体が存在する旨の警告を表示する（ステップＳ１８）。即ち、検査のために必要な同一の検体ＩＤを有する検体の数と、ステップＳ１０において読み取られた検体情報の中に存在するその検体ＩＤの数が不一致となっている場合には、検査に必要な数の検体が収容部２０に存在しない旨の警告を表示部３０に表示する。なお、警告と併せて集荷不備となっている検体ＩＤを表示部３０に表示する。
【００５３】
一方、収容部２０に収容されている全ての検体が集荷条件を満たしている場合には（ステップＳ１７）、検体情報及び検査依頼情報を管理センタシステム２に送信する（ステップＳ１９）。即ち、収容部２０に収容されている検体の検体ＩＤ及び検査依頼情報を通信制御部３２を介して管理センタシステム２に送信する。
【００５４】
ここで、図５に示すフローチャートを参照して管理センタシステム２における処理を説明する。
【００５５】
まず、集荷ボックス６ａから無線ネットワーク４を介して送信された検体情報及び検査依頼情報を受信する（ステップＳ３０）。即ち、通信制御部１２を介して検体情報及び検査依頼情報を受信し、受信された検体情報及び検査依頼情報をデータ記憶部１４に記憶する。
【００５６】
次に、データ記憶部１４に記憶されている検査依頼情報及び検査機関情報記憶部１６に記憶されている検査機関情報を参照して（ステップＳ３１）、集荷された検体を搬送する搬送先検査機関を決定する（ステップＳ３２）。即ち、検査依頼情報に含まれている検査の種類及び検査項目の検査を行うことができ、かつ、営業時間及び検査の処理能力について、集荷ボックス６ａの収容部２０に収容されて集荷された検体の受け入れに支障がない検査機関を搬送先検査機関として決定する。
【００５７】
搬送先検査機関が決定されていない検体が存在する場合には（ステップＳ３３）、ステップＳ３１に戻り、検査依頼情報及び検査機関情報を参照し、集荷された検体を搬送する搬送先検査機関を決定する（ステップＳ３２）。
【００５８】
一方、全ての検体について搬送先検査機関が決定された場合には（ステップＳ３３）、搬送先検査機関を指示する指示情報を作成する（ステップＳ３４）。即ち、搬送先検査機関の名称または検査機関ＩＤとそれぞれの搬送先検査機関に搬送すべき検体の検体ＩＤとを含む指示情報を作成する。なお、指示情報が作成された場合には、各検査機関に搬送される検体の検体ＩＤを検査機関ＩＤに対応させて検査機関情報記憶部１６に記憶する。
【００５９】
次に、ステップＳ３４において作成された指示情報を集荷ボックス６ａに送信する（ステップＳ３５）。即ち、作成された指示情報を通信制御部１２を介して集荷ボックス６ａに送信する。
【００６０】
次に、集荷ボックス６ａにおいて、管理センタシステム２から無線ネットワーク４を介して送信された指示情報を受信する（ステップＳ２０、図３参照）。即ち、検体の搬送先検査機関を指示する指示情報を通信制御部３２を介して受信する。
【００６１】
次に、通信制御部３２を介して受信された指示情報を表示部３０に表示する（ステップＳ２１）。即ち、搬送先検査機関の名称又は検査機関ＩＤに対応させた搬送すべき検体の検体ＩＤを表示部３０に表示する。そして、表示部３０に表示された指示情報に基づいて、各検体が集荷ボックス６ａを携帯している集荷人により搬送先検査機関に搬送される。
【００６２】
次に、図６のフローチャートを参照して検体を検査機関に搬送した際に、集荷ボックス６ａにおいて行われる処理について説明する。
【００６３】
まず、搬送先検査機関において、集荷ボックス６ａの収容部２０に収容されている検体の検体情報及び依頼書の依頼書情報をＩＣタグリーダ２６を介して読み取る（ステップＳ４０）。例えば、まず、検査機関Ａにおいて、表示部３０に表示された指示情報により検査機関Ａに搬送すべき検体及びその検体に対応する依頼書を抜き取る。次に、図４のフローチャートのステップＳ１０における処理と同様に、収容部２０に収容されている検体の検体情報及び依頼書の依頼書情報をＩＣタグリーダ２６を介して読み取る。
【００６４】
次に、ステップＳ４０において読み取られた検体情報と依頼書情報との照合を行う（ステップＳ４１）。即ち、図４のフローチャートのステップＳ１２における処理と同様に検体情報と依頼情報との照合を行う。
【００６５】
検体情報と依頼情報との照合が不一致となった場合には（ステップＳ４２）、収容されている検体と依頼書が不一致となっている旨の警告を表示する（ステップＳ４３）。即ち、収容されている検体と依頼書とが対応していない場合には、収容部２０から抜き取られた検体と依頼書とが対応していないことになる。従って、収容部２０に収容されている検体と依頼書とが不一致となっている旨の警告と併せて、抜き取られた検体と依頼書とが不一致となっている旨の警告を表示部３０に表示する。
【００６６】
一方、検体情報と依頼情報との照合が一致した場合には（ステップＳ４２）、収容部２０から抜き取られた検体が指示情報により搬送を指示された検体と一致することを確認する（ステップＳ４４）。即ち、図４のフローチャートのステップＳ１０において読み取られた検体情報とステップＳ４０において読み取られた検体情報との差分から、抜き取られた検体の検体情報を特定する。そして、例えば、抜き取られた検体の検体情報と指示情報により検査機関Ａに搬送することを指示された検体の検体ＩＤとの照合を行うことにより、検査機関Ａに搬送すべき検体が抜き取られたことの確認を行う。なお、検査機関Ａに搬送すべき検体を搬送した後に、検査機関Ｂに検体を搬送する場合には、検査機関Ａにおいて読み取られた検体情報と検査機関Ｂにおいて読み取られた検体情報との差分から、検査機関Ｂにおいて抜き取られた検体の検体情報を特定する。
【００６７】
検体の抜き取りミスが生じた場合には（ステップＳ４５）、検体の抜き取りミスが生じた旨の警告を表示する（ステップＳ４６）。例えば、検査機関Ａにおいて抜き取られた検体と指示情報により検査機関Ａに搬送することが指示された検体とが不一致となっている場合には、検査機関Ａに搬送すべき検体が収容部２０から抜き取られていないことになる。または、検査機関Ａに搬送すべき検体以外の検体が収容部２０から抜き取られていることになる。従って、不一致となっている検体の検体ＩＤと共に、搬送機関Ａに搬送すべき検体が抜き取られていない旨または、検査機関Ａに搬送すべき検体以外が抜き取られている旨の警告を表示部３０に表示する。
【００６８】
一方、指示情報により搬送先検査機関に搬送することを指示された検体のみが抜き取られていた場合には（ステップＳ４５）、搬送が終了した旨の搬送終了通知を管理センタシステム２に送信する（ステップＳ４７）。例えば、検査機関Ａに搬送すべき検体がのみ抜き取られている場合には、抜き取られた検体の検体ＩＤ及び検査機関Ａの名称又は検査機関ＩＤを含む搬送終了通知を通信制御部３２を介して管理センタシステム２に送信する。
【００６９】
管理センタシステム２においては、無線ネットワーク４を介して集荷ボックス６ａから送信された搬送終了通知を受信する。次に、受信した搬送終了通知に含まれている検体の検体ＩＤと検査機関情報記憶部１６に記憶されている検査機関に搬送される予定の検体の検体ＩＤとを照合し、搬送されるべき検体が搬送されたことを確認する。そして、検査の依頼を受けた検体の検体ＩＤに、搬送された検体の検体ＩＤを追加し、検査機関情報の更新を行う。
【００７０】
この第１の実施の形態に係る集荷システムによれば、集荷ボックス内に収容されている検体の検体情報、即ち、検体の検体容器に付されたＩＣタグに記憶されている検体ＩＤ及び依頼書の依頼書情報、即ち、依頼書に付されたＩＣタグに記憶されている検体ＩＤを非接触で読み取り、照合を行っている。従って、検体と依頼書とを集荷ボックスの収容部に収容することにより、集荷された検体と依頼書とが対応しているか否かの確認を容易、かつ、迅速に行うことができる。
【００７１】
また、第１の実施の形態に係る集荷システムによれば、データ記憶部に記憶されている検査依頼情報及び集荷条件に基づいて、集荷ボックスに収容された検体が集荷条件を満たしているか否かの確認が行われている。従って、検査に関する知識を有していない場合であっても、検査に必要な検体を確実に集荷することができる。
【００７２】
また、第１の実施の形態に係る集荷システムによれば、管理センタシステムから集荷ボックスに指示情報を送信することにより、検体の搬送先検査機関を指示している。そのため、検査に関する知識を有していない場合であっても、適切な検査機関に検体を搬送することができると共に、検査機関が検体を受け入れられるか否かを管理センタシステムで管理し、効率的に検体を検査機関に搬送することができる。
【００７３】
また、第１の実施の形態に係る集荷システムによれば、搬送先検査機関において、搬送すべき検体を集荷ボックスから抜き取った後に、集荷ボックスの収容部に指示情報により搬送を指示された検体が搬送されたか否かを確認している。従って、搬送すべき検体が搬送先検査機関に搬送されたか否かを容易に確認して誤った検体が搬送先検査機関に搬送されることを防止し、搬送先検査機関に搬送すべき検体を確実に搬送することができる。
【００７４】
次に、図７及び図８を参照して第２の実施の形態に係る集荷システムにおける検体の集荷処理について説明する。
【００７５】
第２の実施に形態に係る集荷システムは、第１の実施の形態に係る集荷ボックス６ａ、６ｂ、６ｃに代えて集荷ボックス４０ａ、４０ｂ、４０ｃが無線ネットワーク４を介して管理センタシステム２と接続されている。なお、管理センタシステム２は、図１に示す第１の実施の形態に係る管理センタシステム２と同様の構成であるため説明を省略する。
【００７６】
図７は、第２の実施の形態に係る集荷ボックスのブロック構成図である。この図７に示すように、集荷ボックス４０ａは、図３に示す集荷ボックス６ａにバーコードに記録されている情報を読み取るバーコードリーダ４２及びバーコードリーダ４２により読み取られた情報をＩＣタグに書き込むＩＣタグライタ４４が更に接続されている。なお、その他の部分については図３に示す集荷ボックス６ａと同様の構成であり、外観は図２に示す集荷ボックス６ａの外観と同様であるため説明を省略する。また、集荷ボックス４０ｂ、４０ｃは集荷ボックス４０ａと同様の構成であるため説明を省略する。
【００７７】
次に、図８に示すフローチャートを参照して、集荷ボックス４０ａにおいて検体を集荷する際に行われる処理について説明する。なお、以下においては、第２の実施の形態に係る集荷ボックスを携帯した集荷人が、医療機関を一定の周期で巡回して検体の集荷を行う場合を例として説明する。また、以下においては、医療機関においてバーコードが用いられている場合を例とする。
【００７８】
まず、巡回先の医療機関において、検体の検体情報及び依頼書の依頼書情報をそれぞれバーコードリーダ４２を介して読み取る（ステップＳ５０）。即ち、まず、検体容器にＩＣタグが貼り付け等されていない場合には、検体容器にＩＣタグの貼り付け等を行い、検体の検体容器に貼り付けられたバーコードに記録されている検体ＩＤを読み取る。次に、依頼書にＩＣタグが貼り付けられていない場合には、依頼書にＩＣタグの貼り付け等を行い、依頼書に貼り付けられたバーコードに記録された検体ＩＤを読み取る。
【００７９】
次に、読み取られた検体情報及び依頼書情報をそれぞれＩＣタグライタ４４を介してＩＣタグに書き込む（ステップＳ５１）。即ち、バーコードリーダ４２を介して読み取られた検体情報を検体容器に貼り付けられたＩＣタグに書き込み記録させる。また、バーコードリーダ４２を介して読み取られた依頼書情報を依頼書に貼り付けられたＩＣタグに書き込み記録させる。なお、集荷した全ての検体の検体容器に付されたＩＣタグに検体情報を記録させると共に、集荷した全ての依頼書に付されたＩＣタグに依頼書情報を記録させた後に、集荷ボックス４０ａに検体及び依頼書を収容する。
【００８０】
次に、収容された検体の検体情報及び依頼書の依頼書情報をＩＣタグリーダ２６を介して読み取り（ステップＳ５２）、フレキシブルディスクに記録されている検査依頼情報をフレキシブルディスクドライブ２８を介して入力する（ステップＳ５３）。
【００８１】
次に、読み取った検体情報と依頼書情報との照合を行う（ステップＳ５４）。そして、検体情報と依頼書情報との照合が不一致の場合には（ステップＳ５５）、収容された検体と依頼書とが対応していない旨の警告を表示部２６に表示する（ステップＳ５６）。
【００８２】
一方、検体情報と依頼書情報との照合が一致した場合には（ステップＳ５５）、収容された検体が集荷条件を満たしているか否かを確認する（ステップＳ５７）。全ての検体について集荷条件を満たしているか否かの確認を行った場合には（ステップＳ５８）、集荷不備となった検体が存在するか否かの判断を行う（ステップＳ５９）。集荷不備となっている検体が存在する場合には（ステップＳ５９）、集荷不備となっている検体の検体ＩＤと共に、集荷不備の旨の警告を表示部２６に表示する（ステップＳ６０）。
【００８３】
集荷不備となっている検体が存在しない場合には（ステップＳ５９）、管理センタシステム２に通信制御部３２を介して検体情報及び検査依頼情報を送信する（ステップＳ６１）。次に、管理センタシステム２から無線ネットワーク４を介して送信される検体の搬送先検査機関を指示する指示情報を受信し（ステップＳ６２）、受信した指示情報を表示部３０に表示する（ステップＳ６３）。そして、集荷人は、表示された指示情報に従って検体の搬送を行う。
【００８４】
なお、上述のステップＳ５２〜ステップＳ６３における処理は、図４のフローチャートのステップＳ１０〜ステップＳ２１と同様の処理であるためその詳細な説明は省略する。また、管理センタシステム２における処理は、図５のフローチャートのステップＳ３０〜ステップＳ３５と同様であるため説明を省略する。更に、検体の搬送先検査機関において集荷ボックス４０ａにより行われる処理は、図６のフローチャートのステップＳ４０〜ステップＳ４７と同様であるため説明を省略する。
【００８５】
この第２の実施の形態に係る集荷システムによれば、バーコードに記録されている検体情報及び依頼書情報をバーコードリーダを介して読み取り、読み取った検体情報及び依頼書情報をそれぞれＩＣタグライタを介してＩＣタグに書き込み記録させている。従って、医療機関においてバーコードが利用されている場合であっても、医療機関における処理を増加させることなく、検体の集荷及び搬送を適切、かつ、迅速に行うことができる。
【００８６】
なお、上述の実施の形態に係る集荷システムにおいては、集荷ボックスを携帯した集荷人が周期的に医療機関を巡回して検体の集荷を行っているが、医療機関からの検査依頼を受け付けた後に集荷を行うようにしてもよい。例えば、管理センタシステムにおいて医療機関からの検査依頼を受付、検体の集荷を行う医療機関を指示する集荷指示情報を集荷ボックスに送信する。集荷ボックスにおいては、集荷指示情報を受信して表示部に表示する。そして、表示された集荷指示情報に従って検体の集荷を行うようにしてもよい。
【００８７】
また、上述の実施の形態に係る集荷システムにおいては、ＩＣタグが検体容器に付される場合を例としているが、検体容器以外の部分にＩＣタグが付されるようにしてもよい。例えば、検体容器を立てる試験管立に貼り付けまたは埋め込むことによりＩＣタグが付されてもよく、ＩＣタグが付された検体容器よりも大きな容器に検体を収容している検体容器を収容してもよい。更に、検体が血液等の液体状である場合には、検体を収容している検体容器中にＩＣタグを投入するようにしてもよい。また、検体が病理標本等である場合には、検体そのものにＩＣタグを貼り付ける等してもよい。
【００８８】
また、上述の実施の形態に係る集荷システムにおいては、書面形式の依頼書を検体と共に集荷しているが、依頼書に記載すべき情報を記録したフレキシブルディスクを集荷してもよい。この場合には、フレキシブルディスクに記録されている依頼書の情報をフレキシブルディスクドライブを介して入力し、データ記憶部に記憶する。そして、データ記憶部に記憶されている依頼書の情報に含まれている依頼書情報とＩＣタグリーダを介して読み取られた検体情報との照合を行うことができる。
【００８９】
また、集荷ボックスに依頼書に記載されている内容を依頼書記載情報として読み取るイメージスキャナ（画像データ読取手段）を更に備えるようにしてもよい。この場合には、イメージスキャナを介して読み取られた依頼書記載情報をデータ記憶部に記憶する。また、イメージスキャナを介して読み取られた依頼書記載情報を依頼書に貼り付け等されているＩＣタグにＩＣタグライタを介して記録する。この場合には、ＩＣタグライタは、イメージスキャナの本体またはカバー等に設けられる。また、イメージスキャナを介して読み取られた依頼書記載情報をＩＣタグに記録する際に、テンキーにより入力された依頼書ＩＤを依頼書記載情報と共にＩＣタグに記録するようにしてもよい。また、イメージスキャナを介して読み取られた依頼書記載情報を検体に貼り付け等されているＩＣタグに記録するようにいてもよい。更に、通信装置を設け、イメージスキャナを介して読み取られた依頼書記載情報を外部装置に送信するようにしてもよい。
【００９０】
また、集荷ボックスに依頼書に記載される記載内容を認識するタブレット装置を更に備えるようにしてもよい。この場合には、タブレット装置上に置かれた依頼書にペン等で記載された記載内容をタブレット装置で認識し、依頼書記載情報としてデータ記憶部に記憶する。また、タブレット装置で認識した依頼書記載情報を依頼書に貼り付け等されているＩＣタグにＩＣタグライタを介して記録する。また、タブレット装置で認識した依頼書記載情報をＩＣタグに記録する際に、テンキーにより入力された依頼書ＩＤを依頼書記載情報と共にＩＣタグに記録するようにしてもよい。また、タブレット装置で認識した依頼書記載情報を検体に貼り付け等されているＩＣタグに記録するようにいてもよい。更に、通信装置を設け、タブレット装置で認識した依頼書記載情報を外部装置に送信するようにしてもよい。
【００９１】
また、上述の実施の形態に係る集荷システムにおいては、集荷ボックスと管理センタシステムとが無線ネットワークを介して接続されているが、無線ＬＡＮを介して接続されていてもよい。この場合には、集荷の際に用いる車両の中にサーバを設置し、集荷ボックスの収容部に収容された検体の検体情報及び検査依頼情報をサーバに一旦蓄積した後に、無線ＬＡＮを介して管理センタシステムに送信することができる。
【００９２】
【発明の効果】
この発明に係る集荷ボックスによれば、収容部に収容された検体の検体情報と依頼書の依頼書情報との照合を行い、検体と依頼書が対応していることを確認している。従って、検体とその検体に対応する依頼書が収容されたことを容易、かつ、迅速に確認することができ、検体及びその検体に対応する依頼書を確実に集荷することができる。
【００９３】
また、この発明に係る集荷ボックスによれば、検査に必要な検体が集荷されたか否かの集荷条件を満たしているか否かを判断し、集荷条件を満たしていない場合には、警告を表示している。従って、検査に必要な検体が集荷されていない等の集荷ミスを防止でき、かつ、検体の集荷に習熟していない者であっても必要な検体の集荷を確実に行うことができる。
【００９４】
また、この発明に係る集荷システムによれば、集荷された検体を搬送する搬送先を指示する指示情報を管理センタシステムから集荷ボックスに送信している。従って、集荷された検体を営業所等に集めることなく、医療機関において集荷した後、直ちに適切な搬送先に検体を効率的に搬送することができる。
【００９５】
また、この発明に係る集荷システムによれば、指示情報に搬送先として指示された搬送先において、搬送すべき検体が搬送されたか否かの確認を行っている。従って、検体の搬送ミスを防止すると共に、検体を適切な搬送先に確実に搬送することができる。
【図面の簡単な説明】
【図１】この発明の第１の実施の形態に係る集荷システムのブロック構成図である。
【図２】この発明の第１の実施の形態に係る集荷ボックスの外観図である。
【図３】この発明の第１の実施の形態に係る集荷ボックスのブロック構成図である。
【図４】この発明の第１の実施の形態に係る集荷ボックスにおける集荷時の処理を説明するためのフローチャートである。
【図５】この発明の第１の実施の形態に係る管理センタシステムにおける処理を説明するためのフローチャートである。
【図６】この発明の第１の実施の形態に係る集荷ボックスの搬送先検査機関における処理を説明するためのフローチャートである。
【図７】この発明の第２の実施の形態に係る集荷ボックスのブロック構成図である。
【図８】この発明の第２の実施の形態に係る集荷ボックスにおける集荷時の処理を説明するためのフローチャートである。
【符号の説明】
２…管理センタシステム、４…無線ネットワーク、６ａ、６ｂ、６ｃ…集荷ボックス、１０…データ制御部、１２…通信制御部、１４…データ記憶部、１６…検査機関情報記憶部、２０…収容部、２２…蓋部、２４…データ制御部、２６…ＩＣタグリーダ、２８…フレキシブルディスクドライブ、３０…表示部、３２…通信制御部、３４…データ記憶部、４０ａ、４０ｂ、４０ｃ…集荷ボックス、４２…バーコードリーダ、４４…ＩＣタグライタ。
【図１】
2004077195.tif 000003
【図２】
2004077195.tif 000004
【図３】
2004077195.tif 000005
【図４】
2004077195.tif 000006
【図５】
2004077195.tif 000007
【図６】
2004077195.tif 000008
【図７】
2004077195.tif 000009
【図８】
2004077195.tif 000010